(57)【要約】【課題】  従来、緊急時、例えば、震災、洪水、大雨等による災害時において、生活水（飲料水、風呂・トイレ・洗物等の生活用水）の確保が急務であり、それぞれ、個人を始として、都道府県、国等が対策を講じている。しかし、現実には、要望に応えられないのが、現況である。この解決策を、提供する。【解決手段】  本発明は、排水利用の生活水生成装置であり、緊急時の飲料水、洗濯水、風呂水の如き、緊急時の生活インフラを確保する。生活水生成装置で生成された生活水を、緊急時の生活インフラとして利用する構成とした、また、スポットクーラの動力用の石油、電気を使用しない排水利用の生活水生成方法である。緊急時において有益であり、かつ人助けである。【選択図】      図１
2014076419.tif 000002
【特許請求の範囲】
【請求項１】
スポットクーラと、このスポットクーラの動力用の石油、電気を使用しない自然エネルギと、このスポットクーラの排水を貯留する装置と、この装置に繋いだ配管と、この配管に設けた濾過装置でなる排水利用の生活水生成装置であって、
この生活水生成装置で生成された生活水を、緊急時の飲料水、洗濯水、風呂水として利用することで、この緊急時の生活インフラとして利用する構成とした排水利用の生活水生成装置。
【請求項２】
請求項１に記載の排水利用の生活水生成装置であって、
前記スポットクーラは、２００Ｖ仕様を利用することで、生活水として要求される量を、十分に確保できる構成とした排水利用の生活水生成装置。
【請求項３】
請求項１に記載の排水利用の生活水生成装置であって、
前記自然エネルギが余剰の際には、蓄電池に蓄電するか、又は売電する構成とした排水利用の生活水生成装置。
【請求項４】
請求項１に記載の排水利用の生活水生成装置であって、
前記スポットクーラの排水を貯留する装置は、沈降分離を図るに十分な広さを備えた構成とした排水利用の生活水生成装置。
【請求項５】
請求項１に記載の排水利用の生活水生成装置を利用し、緊急時の飲料水、洗濯水、風呂水の如き、緊急時の生活インフラを確保する構成であって、
この生活水生成装置で生成された生活水を、前記緊急時の生活インフラとして利用する構成とした、また、前記スポットクーラの動力用の石油、電気を使用しない構成とした排水利用の生活水生成方法。
【発明の詳細な説明】
【技術分野】
【０００１】
本発明は、排水利用の生活水生成装置と、その方法に関する。
【背景技術】
【０００２】
緊急時、例えば、震災、洪水、大雨等による災害時において、生活水（飲料水、風呂・トイレ・洗物等の生活用水）の確保が急務であり、それぞれ、個人を始として、都道府県、国等が対策を講じている。しかし、現実には、要望に応えられないのが、現況である。
【０００３】
上記に鑑み、この生活水を確保することを意図した、先行文献を挙げると、例えば、特開２００７−３３０９５９号公報の発明がある（文献（１））。この発明は、貯水槽に貯水された、例えば、火災防火・消火用の水を、濾過材（ゼオライト、酸化チタン及び木炭等）で、汚染除去と臭気除去等を図り、生活水を確保することを意図する。
【０００４】
また、排水（ドレン水）の処理装置として、特開２０１０−２３０１７６号公報の発明がある（文献（２））。この発明は、スポットクーラの排水（ドレン水）を、超音波振動子を利用して霧化し、この霧化したミストを、室内に排気し、冷却を図る排水の再利用である。
【０００５】
【特許文献１】特開２００７−３３０９５９号公報
【特許文献２】特開２０１０−２３０１７６号公報
【発明の概要】
【発明が解決しようとする課題】
【０００６】
前述した文献（１）、（２）は、排水の一部利用であり、その利用の際に、積極的に、生活水として利用することを意図しないことと、この排水を仕方なく再利用するものであり、有効性に欠けること、等の問題を抱えている。
【０００７】
そこで、本発明は、排水を、略１００％利用するとともに、積極的に利用することで、人々の生活をエンジョイしつつ、人命救助に役立てること、等を意図する。また、２００Ｖ仕様で駆動するスポットクーラの排水量を確実、かつ有効に利用すること、又は、この排水量を、全量、生活水に役立つように、確実、かつ有効に濾過すること、等を意図する。さらに、自然エネルギを動力源とし、自然環境の維持と、電力供給ができない状況を解決すること、等を意図する。
【課題を解決するための手段】
【０００８】
前述した、本発明の目的を確実に達成し、かつ緊急時の生活水を確保するために、下記の請求項１〜５を提案する。
【０００９】
その請求項１は、スポットクーラと、このスポットクーラの動力用の石油、電気を使用しない自然エネルギと、このスポットクーラの排水を貯留する装置と、この装置に繋いだ配管と、この配管に設けた濾過装置でなる排水利用の生活水生成装置であって、
この生活水生成装置で生成された生活水を、緊急時の飲料水、洗濯水、風呂水として利用することで、この緊急時の生活インフラとして利用する構成とした排水利用の生活水生成装置である。
【００１０】
次に、その請求項２は、請求項１に記載の排水利用の生活水生成装置であって、
前記スポットクーラは、２００Ｖ仕様を利用することで、生活水として要求される量を、十分に確保できる構成とした排水利用の生活水生成装置である。
【００１１】
また、その請求項３は、請求項１に記載の排水利用の生活水生成装置であって、
前記自然エネルギが余剰の際には、蓄電池に蓄電するか、又は売電する構成とした排水利用の生活水生成装置である。
【００１２】
さらに、その請求項４は、請求項１に記載の排水利用の生活水生成装置であって、
前記スポットクーラの排水を貯留する装置は、沈降分離を図るに十分な広さを備えた構成とした排水利用の生活水生成装置である。
【００１３】
最後に、その請求項５は、請求項１に記載の排水利用の生活水生成装置を利用し、緊急時の飲料水、洗濯水、風呂水の如き、緊急時の生活インフラを確保する構成であって、
この生活水生成装置で生成された生活水を、前記緊急時の生活インフラとして利用する構成とした、また、前記スポットクーラの動力用の石油、電気を使用しない構成とした排水利用の生活水生成方法である。
【発明の効果】
【００１４】
請求項１の発明は、スポットクーラと、このスポットクーラの動力用の石油、電気を使用しない自然エネルギと、スポットクーラの排水を貯留する装置と、装置に繋いだ配管と、配管に設けた濾過装置でなる排水利用の生活水生成装置であって、
生活水生成装置で生成された生活水を、緊急時の飲料水、洗濯水、風呂水として利用することで、緊急時の生活インフラとして利用する構成とした排水利用の生活水生成装置である。
【００１５】
従って、請求項１では、次のような特徴が考えられる。
【００１６】
スポットクーラ等の空調機からの排水を、略１００％利用するとともに、積極的に利用することで、人々の生活をエンジョイしつつ、人命救助に役立て得ること、等である。そして、請求項１では、２００Ｖ仕様で駆動するスポットクーラの排水量を確実、かつ有効に利用すること、又は、この排水量を、全量、生活水に役立つように、確実、かつ有効に濾過すること、等で、緊急時の生活インフラとして活躍できる。さらに、請求項１では、自然エネルギを動力源とし、自然環境の維持と、電力供給ができない状況を解決できること、等である。
【００１７】
請求項２の発明は、請求項１に記載の排水利用の生活水生成装置であって、
スポットクーラは、２００Ｖ仕様を利用することで、生活水として要求される量を、十分に確保できる構成とした排水利用の生活水生成装置である。
【００１８】
従って、請求項２では、請求項１の特徴とともに、次のような特徴が考えられる。
【００１９】
空調機の中で、最適なスポットクーラの機能を活用できることと、この機能を十分に発揮できる。
【００２０】
請求項３の発明では、は、請求項１に記載の排水利用の生活水生成装置であって、
自然エネルギが余剰の際には、蓄電池に蓄電するか、又は売電する構成とした排水利用の生活水生成装置である。
【００２１】
従って、請求項３では、請求項１の特徴とともに、次のような特徴が考えられる。
【００２２】
自然エネルギで生成される電力を、最適なスポットクーラを始として、最適化できる。
【００２３】
請求項４の発明は、請求項１に記載の排水利用の生活水生成装置であって、
スポットクーラの排水を貯留する装置は、沈降分離を図るに十分な広さを備えた構成とした排水利用の生活水生成装置である。
【００２４】
従って、請求項４では、請求項１の特徴とともに、次のような特徴が考えられる。
【００２５】
排水の濾過効率の向上と、最高の生活水を提供できる。
【００２６】
請求項５の発明は、請求項１に記載の排水利用の生活水生成装置を利用し、緊急時の飲料水、洗濯水、風呂水の如き、緊急時の生活インフラを確保する構成であって、
生活水生成装置で生成された生活水を、緊急時の生活インフラとして利用する構成とした、また、スポットクーラの動力用の石油、電気を使用しない構成とした排水利用の生活水生成方法である。
【００２７】
従って、請求項５では、次のような特徴が考えられる。
【００２８】
スポットクーラ等の空調機からの排水を、自然エネルギの利用で、略１００％利用するとともに、積極的に利用することで、人々の生活をエンジョイしつつ、人命救助に役立て得ること、等である。そして、請求項５では、自然エネルギで生成した、２００Ｖ仕様で駆動するスポットクーラの排水量を確実、かつ有効に利用すること、又は、この排水量を、全量、生活水に役立つように、確実、かつ有効に濾過すること、等で、緊急時の生活インフラとして活躍できる。
【図面の簡単な説明】
【００２９】
【図１】スポットクーラと太陽光パネルをセットした移動式の排水利用の生活水生成装置の概念図
【図２】在来のスポットクーラと、在来の太陽光パネルとの組合せによる移動式（据付もあり得る）の排水利用の生活水生成装置の概念図
【図３】太陽光パネルで生成した電力で、スポットクーラを駆動するとともに、濾過装置を利用して排水利用の生活水生成方法の概念図
【図４】太陽光パネルで生成した電力を蓄電し、この蓄電した電力で、スポットクーラを駆動するとともに、濾過装置を利用して排水利用の生活水生成方法の概念図
【発明を実施するための形態】
【００３０】
図１に示した移動式の排水利用の生活水生成装置の概念図において、１は移動ユニットであり、この移動ユニット１は、少なくとも、二段式構造で、一段棚１ａ（一段目の棚１ａ）と二段棚１ｂ（二段目の棚１ｂ）を有し、一段スペース１−１（一段目のスペース１−１）と二段スペース１−２（二段目のスペース１−２）を形成する。また、この移動ベース１には、移動用の車輪１００、１００…（１００とする）等を備えている。また、図示しないが、ストッパーを備え、所定の箇所で停止・据付可能とする。この一段棚１ａと一段スペース１−１を利用して、例えば、次のような機材をセットする。スポットクーラ２（空調機）と、貯水槽３をセットするとともに配管５で繋ぎ、結露した水滴（結露水）を、この貯水槽３に溜める。このスポットクーラ２の駆動源（動力源用）は、この例では、蓄電池６であり、この蓄電池６には、二段棚１ｂに載置して、二段スペース１−２に旋回自在、又は俯角調整自在（傾斜自在）に設置した一基、また数基の太陽光パネル５を利用し、蓄電される。図中８は濾過装置で、貯水槽３に組付け一体化されているが、フィルタ８００、脱臭剤８０１（活性炭）と、殺菌剤８０２（珪素、塩化マグネシュウム、塩素等）と、異物除去器８０３等の各種機器と素材で構成する。従って、貯水（水滴を貯留した水）を、生活水に生成する。この一例は移動できることから、建屋Ａの適所の冷房と、太陽光の採光を意図して移動でき重宝する。
【００３１】
また、図２に示した移動ユニット１は、台車１ｃの上に、スポットクーラ２、貯水槽３と、制御盤８０４付きの濾過装置８をセットする。必要により、蓄電池６をセットする。また、太陽光パネル７は、建屋Ａの屋根Ａ１にセットし、ケーブル１０を利用して、太陽光パネル７より、スポットクーラ２に給電するか、図示しない、蓄電池６より、スポットクーラ２に給電するかを選択する。この例では、建屋Ａの適所に移動する構造で説明したが、固定式の構造もあり得る。その他は、図１の例に準ずる。
【００３２】
処で、図３、図４は、共に太陽光パネル７で生成した電力で、スポットクーラ２を駆動するとともに、濾過装置８を利用して排水利用の生活水生成方法の概念図を、それぞれ示した一例である。この図３は、自然エネルギー（スポットクーラ２）で生成される電力を、蓄電池６に蓄電した後に、スポットクーラ２（余剰電力による稼動あり得る）→配管５→濾過装置８→蛇口１１→生活水１２（飲み水、風呂・トイレ・洗物等の生活用水）とする構造である。蓄電池６の電力は、売電の対象となる。また、図４は、太陽光パネル７で生成した電力により、直にスポットクーラ２を駆動する例であり、余剰電力を蓄電池６に蓄電する構造である。その他は、図３の例に準ずる。
【００３３】
本発明は、前述の各実施例において、スポットクーラ２と太陽光パネル７をセットした移動式の排水利用の生活水生成装置（生活水生成システム）、及び／又は、蓄電システムに関し、好ましい一例を説明した。従って、本発明は前述した各実施例に限定されるものではなく、発明の趣旨の範囲において構成の一部を変更する構造とか、同じ特徴と効果を達成できる構造、等は、本発明の範疇である。
【符号の説明】
【００３４】
１          移動ユニット
１ａ        一段棚
１ｂ        二段棚
１ｃ        台車
１−１      一段スペース
１−２      二段スペース
１００      車輪
２          スポットクーラ
３          貯水槽
５          配管
６          蓄電池
７          太陽光パネル
８          濾過装置
８００      フィルタ
８０１      脱臭剤
８０２      殺菌剤
８０３      異物除去器
８０４      制御盤
１０        ケーブ
１１        蛇口
１２        生活水
【図１】
2014076419.tif 000003
【図２】
2014076419.tif 000004
【図３】
2014076419.tif 000005
【図４】
2014076419.tif 000006